(57)【要約】【課題】不正操作でメダル通過センサを反応させ続け、メダル払い出し器を作動させてメダルを抜き取る不正を行い、メダル通過センサで検知したカウント数が設定枚数より小さくなって不正と判断する技術がある。しかしメダル通過センサをメダルが通過せず詰った状態でも同じように不正と判断し、メダル詰まりか不正操作か区別できず、メダル詰まりでも不正報知の警報が鳴って顧客としては迷惑である。本発明はメダルが不正操作によって只取りされる状態を的確に検出できるようする。【解決手段】１回のメダル貸し出し動作ごとにホッパ内のメダルを所定枚数ずつ送出する場合、ホッパ内のメダルの上限値検出部と下限値検出部を設け、貸し出し動作回数が上限状態から下限状態に減少する所定回数より少ない回数であれば不正動作と判定すること。【選択図】図３
2009082208.tif 000002
【特許請求の範囲】
【請求項１】
コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから送出されるコイン状部材の通過を検出する通過検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記貸し出し動作回数が、前記上限状態から前記下限状態に減少する正規の所定回数よりも少ない回数であれば不正動作と判定する不正検出装置を設けたことを特徴とするコイン状部材送出装置。
【請求項２】
コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから前記送出部へ送出されるコイン状部材が通る部分に対向壁との間隔がコイン状部材の直径より狭い通路幅を保つようにバネ付勢された可動体と、前記送出ロータから前記送出部へ送出されるコイン状部材が前記可動体を押し退けつつ通過するとき前記可動体の往復作動によってコイン状部材の通過を検出する検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記可動体の往復作動の停止によって、前記貸し出し動作回数が、前記上限状態から前記下限状態に減少する正規の所定回数よりも少ない回数であれば不正動作と判定する不正検出装置を設け、この不正検出によって前記送出ロータによる送出動作を停止することを特徴とするコイン状部材送出装置。
【請求項３】
コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから送出されるコイン状部材の通過を検出する通過検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記貸し出し動作回数が、前記上限状態から前記下限状態を過ぎてメダル貸し出し動作を停止するまでの正規の所定回数よりも少ない回数であれば不正動作と判定する不正検出装置を設けたことを特徴とするコイン状部材送出装置。
【請求項４】
前記不正動作の判定に基づき、警報を発することを特徴とする請求項１乃至３のいずれかに記載のコイン状部材送出装置。
【請求項５】
前記コイン状部材の収容部（またはホッパと称する）へコイン状部材を自動補給する自動補給装置が接続され、前記不正動作の判定に基づき、コイン状部材の補給が行なわれないように前記自動補給装置へ停止信号を出力することを特徴とする請求項１乃至３のいずれかに記載のコイン状部材送出装置。
【請求項６】
前記コイン状部材の貸し出し動作ごとに挿入される紙幣等の真偽を識別する薄片識別装置を備え、前記不正検出装置は、前記貸し出し動作ごとに前記薄片識別装置から出力されるコイン状部材の貸し出し回数信号に基づきコイン状部材の貸し出し動作回数をカウントし、この貸し出し動作回数が正規の所定回数よりも少ない回数であれば不正動作と判定することを特徴とする請求項１乃至３のいずれかに記載のコイン状部材送出装置。
【発明の詳細な説明】
【技術分野】
【０００１】
本発明は、１回の貸し出し動作ごとに収容部（ホッパ）内のコイン状部材を送出ロータの回転にて所定枚数ずつ送出するよう構成したコイン状部材送出装置において、不正操作によって収容部（ホッパ）内のコイン状部材が只取りされる状態を検出する不正検出技術に関する。
【背景技術】
【０００２】
メダルホッパに貯留したメダルをメダル払い出し器によって払い出し、払い出されるメダルをメダル通過センサで検知してカウンタでカウントするようにしたものにおいて、不正操作してメダル通過センサを反応させ続けるようにして、何枚通過しても１枚と判断させるようにして、メダル払い出し器を作動させてメダルを抜き取る不正を行った場合、メダルが抜き取られることによって、メダルホッパ内のメダルが減って、メダルがタッチセンサに接触しなくなると、メダル供給ラインから自動的にメダルがメダルホッパへ補給され、メダル通過センサで検知したメダルのカウント数が、メダル払い出し設定枚数よりも非常に小さくなり、これによって不正と判断するようにした技術がある。（例えば、特許文献１参照）。
【特許文献１】特開２００２−１０２４２５号公報
【発明の開示】
【発明が解決しようとする課題】
【０００３】
この特許文献１の技術では、メダル通過センサをメダルが通過しないで詰った状態でも同じように不正と判断するようになり、メダルが詰ったのか不正操作されたのかが区別できず、メダル詰まりのときも不正報知の警報が鳴って、顧客としては迷惑なこととなる問題がある。
【０００４】
本発明は、このような点に鑑みて、メダルが不正操作によって只取りされる状態を的確に検出できるようにして、上記のような問題を解決すると共に、手動補給方式か自動補給方式のいずれの場合にも、構造の変更なしに適切な対応ができる技術を提供する。また、メダル補給の補給量を記憶する方式またはその補給量に応じた金額換算方式に比して、同様に対応できる技術を提供する。
【０００５】
本発明において、コイン状部材とは、円形状硬貨、円形状メダル等を含めた総称であり、以下に示す実施例では、コイン状部材を円形状のメダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００６】
第１発明のコイン状部材送出装置は、コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから送出されるコイン状部材の通過を検出する通過検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記貸し出し動作回数が、前記上限状態から前記下限状態に減少する正規の所定回数よりも少ない回数であれば不正動作と判定する不正検出装置を設けたことを特徴とする。
【０００７】
第２発明のコイン状部材送出装置は、コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから前記送出部へ送出されるコイン状部材が通る部分に対向壁との間隔がコイン状部材の直径より狭い通路幅を保つようにバネ付勢された可動体と、前記送出ロータから前記送出部へ送出されるコイン状部材が前記可動体を押し退けつつ通過するとき前記可動体の往復作動によってコイン状部材の通過を検出する検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記可動体の往復作動の停止によって、前記貸し出し動作回数が、前記上限状態から前記下限状態に減少する正規の所定回数よりも少ない回数であれば不正動作と判定する不正検出装置を設け、この不正検出によって前記送出ロータによる送出動作を停止することを特徴とする。
【０００８】
第３発明のコイン状部材送出装置は、コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから送出されるコイン状部材の通過を検出する通過検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記貸し出し動作回数が、前記上限状態から前記下限状態を過ぎてメダル貸し出し動作を停止するまでの正規の所定回数よりも少ない回数であれば不正動作と判定する不正検出装置を設けたことを特徴とする。
【０００９】
第４発明のコイン状部材送出装置は、第１発明乃至第３発明のいずれかにおいて、前記不正動作の判定に基づき、警報を発することを特徴とする。
【００１０】
第５発明のコイン状部材送出装置は、第１発明乃至第３発明のいずれかにおいて、前記コイン状部材の収容部（またはホッパと称する）へコイン状部材を自動補給する自動補給装置が接続され、前記不正動作の判定に基づき、コイン状部材の補給が行なわれないように前記自動補給装置へ停止信号を出力することを特徴とする。
【００１１】
第６発明は、第１発明乃至第３発明のいずれかに記載のコイン状部材送出装置において、前記コイン状部材の貸し出し動作ごとに挿入される紙幣等の真偽を識別する薄片識別装置を備え、前記不正検出装置は、前記貸し出し動作ごとに前記薄片識別装置から出力されるコイン状部材の貸し出し回数信号に基づきコイン状部材の貸し出し回数をカウントし、この貸し出し動作回数が正規の所定回数よりも少ない回数であれば不正動作と判定することを特徴とする。
【発明の効果】
【００１２】
第１発明では、貸し出し動作ごとに所定枚数のメダル等を送出（払い出し）する場合において、貸し出し動作回数が、貯蔵容器（ホッパ）内のメダル等の収納状態が、上限状態から下限状態に減少するときの正規の所定回数（たとえば１０回）よりも少ない回数（たとえば５回）であれば、不正検出装置が不正動作と判定するため、これによって送出ロータを停止させる、警報を発する等の処置によって、不正に対処でき、損害を少なくできる。そして、動作的にも、上限状態から下限状態に減少するまでの貸し出し動作回数のチェックによって行うため、上限状態を超えて貯蔵容器（ホッパ）内にメダル等が補給されても、その補給量を記憶する方式またはその補給量に応じた金額換算方式に比して、手動補給方式か自動補給方式のいずれの場合にも、構造の変更なしに適切な対応ができるものとなる。
【００１３】
第２発明では、第１発明の効果に加えて、コイン状部材の通過を検出する通過検出部が、送出ロータから送出部へ送出されるコイン状部材がバネ付勢された可動体を押し退けつつ通過するとき可動体の往復作動によってコイン状部材の通過を検出する検出部によって構成されることにより、可動体の往復作動の停止によって、貸し出し動作回数が所定回数よりも少ない回数であれば不正動作と判定し、送出ロータによる送出動作を停止することにより、コイン状部材の送出動作の安定化を維持しつつ、第１発明と同様の効果を奏することができる。
【００１４】
第３発明では、第１発明または第２発明のものよりも、メダル貸し出し動作を停止するまでの広い範囲に亘って不正チェックができることとなり、不正監視範囲が広がり、安定度が増す。
【００１５】
第４発明では、不正動作の判定に基づき警報を発することにより、遊技施設の管理者が直ちに不正に対応できるものとなり、第１発明乃至第３発明と同様の効果を奏することができる。
【００１６】
第５発明では、コイン状部材の収容部（またはホッパと称する）へコイン状部材を自動補給する自動補給装置が接続された構成において、不正動作の判定に基づきコイン状部材の補給が行なわれないように自動補給装置へ停止信号を出力するため、只取りされるコイン状部材の量を制限できるものとなる。
【００１７】
第６発明では、第１発明乃至第３発明の効果に加えて、薄片識別装置から出力されるコイン状部材の貸し出し回数信号に基づきコイン状部材の貸し出し回数をカウントするため、１回の貸し出し動作にも拘わらず１回の貸し出し動作で送出される所定量を超えて多量のコイン状部材が送出されることが的確に検出できる。
【発明を実施するための最良の形態】
【００１８】
本発明のコイン状部材送出装置は、コイン状部材の収容部（またはホッパと称する）を設け、送出ロータの回転によって前記収容部（またはホッパと称する）の下部からコイン状部材が１枚ずつ前記送出ロータの周縁部に臨む送出部へ送出され、前記送出ロータから送出されるコイン状部材の通過を検出する通過検出部を備え、１回のコイン状部材の貸し出し動作ごとに前記送出ロータの回転によって所定枚数のコイン状部材を送出するよう構成したコイン状部材送出装置において、前記収容部（またはホッパと称する）にコイン状部材の収納量の規定の所定容量以上を検出する上限値検出部と、減少した規定の下限状態を検出する下限値検出部を設け、前記貸し出し動作回数が、前記上限状態から前記下限状態に減少する正規の所定回数よりも少ない回数であれば不正動作と判定する不正検出装置を設けたものであり、本発明の実施例を以下に記載する。
【実施例１】
【００１９】
次に、薄片をその代表的な紙幣で表し、コイン状部材１００を円形状の遊技用メダル１００とした本発明の実施の形態について説明する。図１は本発明に係るコイン状部材（メダル）貸機の正面図、図２は本発明に係るメダル貸機の前面扉を外した状態の正面図、図３は本発明に係るメダル貸機の内部構成を説明する縦断側面図、図４は本発明に係るコイン状部材送出装置の送出ロータ部とその上方のコイン状部材の収容部（またはホッパと称する）の構成を示す縦断側面図、図５は本発明に係るコイン状部材送出装置の上面斜視図、図６は本発明に係るコイン状部材送出装置のコイン状部材の収容部（またはホッパと称する）から見た平面図、図７は本発明に係るコイン状部材送出装置の送出部のカバーを外した斜視図、図８は本発明に係るコイン状部材通過検出部を示し（イ）はその２３Ｗ部分の断面図であり（ロ）はその２３部分の側面図、図９は本発明に係るコイン状部材の検出部２３の構成を断面で示す側面図、図１０は本発明に係る検出部をメダルが通過する通過時間とクロックパルスの関係を示す説明図、図１１は本発明に係るコイン状部材送出装置の送出部のカバーを外した上面図、図１２は本発明に係るコイン状部材送出装置の送出ロータとロータガイドリングの関係を示す断面図、図１３は本発明に係る送出ロータの分離孔部分の裏側斜視図、図１４は本発明に係るコイン状部材送出装置を備えたメダル貸機と遊技機の併設状態を示す正面図、図１５は本発明に係る不正検出装置の構成図、図１６は本発明に係る不正検出装置の動作状態を説明するフローチャート、図１７は本発明に係るメダル貸機の前面扉を開いた状態の内部構成の説明斜視図である。
である。
【００２０】
本発明の実施の形態を図に基づき説明する。コイン状部材としては、貨幣であるコインと遊技機専用のメダルがあるが、実施例では、コイン状部材がメダルである場合について説明する。図１４において、１は遊技機であり、スロットマシン、スロットルマシン、或いはパチスロ機と称される遊技機を示す。遊技機１では所定のメダル１００が使用されるため、メダル投入口２５に遊技に必要な最低１枚のメダル１００が投入された状態において、スタートレバー１Ａを操作することにより、３個のリール１Ｃが回転する。この状態でタイミングを見て３個のストップボタン１Ｂを押すことにより、対応するリール１Ｃが順次停止し、表面に表示された各リール１Ｃの図柄や数字の組み合わせに応じて入賞メダルが、払い出し口からメダル受け皿１Ｄに払い出される仕組みである。
【００２１】
遊技機１にはコイン状部材の貸機であるメダルの貸機ＭＫが併設される。メダル貸機ＭＫは、前面に開口を形成した縦長直方体のメダル貸機ＭＫの本体２００内に、遊技用メダル１００の供給を受けるために前面の挿入口１１１から挿入された紙幣や有価カード等の薄片の識別機能を有する薄片識別装置１１０（紙幣のみの場合は紙幣識別装置１１０という）と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００２２】
薄片識別装置１１０（実施例では紙幣識別装置１１０）は、挿入口１１１から挿入された薄片（実施例では紙幣）の真偽識別を行なうための識別機能部１１０Ａと、そこで識別された真正薄片（実施例では紙幣）をスタックするスタック部１１０Ｂとからなる。所定の薄片（実施例では紙幣）を薄片識別装置１１０（実施例では紙幣識別装置１１０）に挿入することによって、メダル貸機ＭＫからメダル１００の供給を受けることができるものである。
【００２３】
メダル貸機ＭＫは、縦長直方体のメダル貸機本体２００の前面に開口は、上部から下方へ順に、第１扉２０５、第２扉２０６、及び第３扉２０７で覆われている。第１扉２０５は、薄片識別装置１１０と電装部６０を前面へ取り出し可能とするために、それらの前面を覆っている。また第３扉２０７はメダル送出装置２の前面を覆っており、メダル送出装置２から送出されるメダル１００をメダル受け皿１Ｄに導くノズル２Ｎが取り付けられており、ノズル２Ｎと共に第３扉２０７をメダル貸機本体２００から取り外すことによって、メダル貸機本体２００内の支持部２１６に載置したメダル送出装置２を、後述の貯蔵容器（第１貯蔵部）５Ｐと共に、メダル貸機本体２００から前方へ引き出しによって取り外すことができる。また、第２扉２０６は、後述のように、メダル貸機本体２００の前面のメダル補給用開口を開いて、メダル送出装置２の上部に設けたメダル収容部（ホッパ）５へメダル１００を補給するための補給用前面扉２０６である。
【００２４】
第１扉２０５は、下端部をメダル貸機本体２００に水平軸の軸支持部２０４にて回動可能に支持され、上部にロック用の施錠装置２１２を備えている。第２扉２０６は、下端部をメダル貸機本体２００に軸支持部２０８にて回動可能に支持され、上部にロック用の施錠装置２１３を備えている。第３扉２０７は、第２扉２０６を開いた状態でなければ取り外しできないようになっている。即ち、第３扉２０７は、第３扉２０７の下端部２０７Ｄがメダル貸機本体２００の下部に設けた係止フランジ２００Ｆに係止し、第３扉２０７の上端部２０７Ｕが閉じている第２扉２０６の下端部２０６Ｄに近接している。このため、第２扉２０６を閉じた状態では、第３扉２０７を持ち上げても第３扉２０７の上端部２０７Ｕが第２扉２０６の下端部２０６Ｄに当接し、係止フランジ２００Ｆとの係止を外すことができないため、第３扉２０７を取り外すことができない。第２扉２０６を開くことによって、第２扉２０６の下端部２０６Ｄが第３扉２０７の上端部２０７Ｕから離れるため、第３扉２０７を持ち上げれば第３扉２０７の下端部２０７Ｄが係止フランジ２００Ｆの係止から外れ、その状態で第３扉２０７を取り外すことができる。なお、第３扉２０７の上部の着脱構成は特開２０００−２０２１４７号と同様の構成である。
【００２５】
メダル貸機ＭＫは、その内部の上部に薄片の一つである紙幣の真偽を識別する紙幣識別装置１１０が配置され、下部にコイン状部材送出装置であるメダル送出装置２が配置され、そして中間部に電装部６０が配置されている。
【００２６】
紙幣挿入口１１１から挿入された紙幣の真偽判別を紙幣識別装置１１０で行い、識別した真正紙幣はスタック部１１０Ｂへ積層収納するが、前記遊技島の裏側に設置した薄片搬送装置（図示せず）によって、前記遊技装置の島の端部に設けた金庫へ搬送される仕組みでもよい。メダル貸機ＭＫに適用可能な紙幣は、例えば、１０００円以外に、２０００円、５０００円、１００００円の紙幣の一つ又は複数とすることもできる。以下の実施例では、紙幣挿入口１１１への１０００円紙幣の挿入によって５０枚のメダル１００が送出される（払い出される）ように設定された場合について説明する。
【００２７】
電装部６０は、紙幣識別装置１１０とメダル送出装置２等に電気的に接続されている。このため電装部６０は、紙幣挿入口１１１から挿入され紙幣識別装置１１０にて識別された真正紙幣の金額データの読み込み制御や、この金額データをメダル貸機ＭＫの前面板等に設けた表示部に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面に設けたＬＥＤ等で構成の数字表示部２１４に表示させる制御や、貯蔵容器（ホッパ）５Ｐの収納メダルの不足状態を検知する残量検知部ＥＳで検知しＬＥＤ等の表示部２１４等で報知する制御や、残量検知部ＥＳが最低残量を検知したとき、それ以降何回まで正規のメダル払い出しを行うかの制御や、後述のように、不正操作によるメダルの只取り防止のための不正検出装置２５０の制御や信号の授受等を行う制御部６１（回路基板６１Ａを含む）を含む。
【００２８】
紙幣識別装置１１０は、挿入口１１１から挿入された紙幣の真偽識別を行なう識別機能部１１０Ａと、そこで識別された真正紙幣をスタックするスタック部１１０Ｂとからなる。紙幣識別装置１１０は、後述の第１扉（上扉）２０５を開いた状態で、本体２００の左右壁２０１、２０２に設けた左右レール部に前方へ引き出し可能に支持されており、薄片識別装置１１０への電源供給線と信号線は、この引き出しと挿入によって脱着されるコネクタ１１２にて、電装部６０の電源供給線と接続され、且つ制御部６１の信号線と接続される。
【００２９】
コイン状部材の送出装置であるメダル送出装置２は以下の構成をなす。即ち、合成樹脂製のベース部材４上に、円形状のコイン状部材であるメダル１００を収納する収容部（またはホッパと称する）５を形成し、収容部（ホッパ）５内のメダル１００を１枚ずつ送出する送出ロータ７を備えている。送出ロータ７は、収容部（ホッパ）５の下部においてベース部材４上に略水平状態に配置され、複数の分離孔１０を形成した合成樹脂製であり、ベース部材４の後側に配置した電動機装置８からベース部材４内に配置した複数歯車を含む伝動機構８Ａを介して、ベース部材４の上壁を貫通して延びる回転軸９の先端部に、送出ロータ７が取り付けられている。
【００３０】
メダル１００の収容部（ホッパ）５は、単一の形態のメダル収容部（ホッパ）であってもよいが、後述のようにメダル送出装置２をメダル貸機ＭＫの前面側へ引き出し可能にするために、上下に分割可能な第１貯蔵部と第２貯蔵部とで構成している。即ち、メダル１００の収容部（ホッパ）５は、第１貯蔵部を形成する貯蔵容器５Ｐと、貯蔵容器（第１貯蔵部）５Ｐ上に連続して形成された第２貯蔵部５Ｐ２とで構成し、貯蔵容器５Ｐと共にメダル送出装置２をメダル貸機ＭＫの前面側へ引き出しできる。
【００３１】
貯蔵容器５Ｐは、その後壁５Ｇ、左壁５Ｈ及び右壁５Ｍの上端が、縦長直方体のメダル貸機ＭＫの本体２００の左右側壁２０１、２０２と後壁２０３に当接状態で沿った大きさの矩形状に形成され、下面開口５Ｂは送出ロータ７の外周に沿う円形状をなし、上側開口が略矩形状をなすように後述の送出通路部１３側の壁とその対面側の壁が前記円形状から外方へ広がり、残りの対面する２つの壁が前記送出ロータの周縁部から略垂直に延びており、下側が円形状であって上側が矩形状をなす容器形状である。この下面開口５Ｂに対応して送出ロータ７が配置される。
【００３２】
貯蔵容器（第１貯蔵部）５Ｐの矩形状の上側開口５Ａに連通して、貯蔵容器（第１貯蔵部）５Ｐ上に第２貯蔵部５Ｐ２が連続して形成されている。第２貯蔵部５Ｐ２は、前面に開口を形成した縦長直方体のメダル貸機ＭＫの本体２００の左右側壁２０１、２０２と後壁２０３とで形成した空間によって形成されており、これによって、第２貯蔵部５Ｐ２は前面に補給用開口を形成している。施錠装置２１３をキーによって外した状態で、この補給用開口を開閉する補給用前面扉２０６を開くことにより、この第２貯蔵部５Ｐ２へメダル１００を手動によって補給できる。補給用前面扉２０６は、上部が前方へ回動して開くように、下端部が水平軸の軸支持部２０８によって支持されている。第２貯蔵部５Ｐ２の前面の補給用開口の底部には、補給案内底板２０９が第２貯蔵部５Ｐ２の左右側壁２０１、２０２に亘って取り付けられている。また、補給用前面扉２０６の左右部分には、第２貯蔵部５Ｐ２の左右側壁２０１、２０２に沿って延びた補給案内左右板２１０、２１１が取り付けられている。補給用前面扉２０６は、前方へ回動して略９０度の範囲で開くことができるように制限機構が設けられている。
【００３３】
この構成において、メダル１００を管理者が手動補給する場合、補給用前面扉２０６を前方へ回動して略９０度の範囲で開く。この状態で、第２貯蔵部５Ｐ２の補給用開口の左右部分には、補給案内左右板２１０、２１１が露出して、補給されるメダル１００が左右両側から零れないように作用し、また、第２貯蔵部５Ｐ２の補給用開口の底部に存在する補給案内底板２０９によって、補給されるメダル１００が第２貯蔵部５Ｐ２及びその下方の貯蔵容器（第１貯蔵部）５Ｐへ導入される。
【００３４】
貯蔵容器（ホッパ）５Ｐ内に収容されるコイン状部材１００であるメダル１００の荷重が、送出ロータ７に掛かることを減衰するために、貯蔵容器（第１貯蔵部）５Ｐの前壁５Ｆから送出ロータ７の中央部上方位置へ向けて低く傾斜した減圧板３７を設けている。この補給されるメダル１００は、貯蔵容器（第１貯蔵部）５Ｐの後壁５Ｇへ直接落下し、その傾斜に沿って送出ロータ７へ向けて移動するものと、減圧板３７に衝突して、減圧板３７の傾斜に沿って移動するものがある。このようにして、貯蔵容器（第１貯蔵部）５Ｐ及び第２貯蔵部５Ｐ２内にメダル１００が収容される。
【００３５】
回転軸９の先端部に取り付けられた送出ロータ７は、図１２に示すように、ベース部材４の上面に形成した円形状の窪み４Ａに略水平状態に配置され、窪み４Ａの表面から若干離れた状態で電動機装置８によって、図１１に示すように所定方向（図ではＲ方向）へ回転する構成である。送出ロータ７の上面周縁部及び周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、図４に示すように、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００３６】
送出ロータ７が回転軸９の先端部に取り付けられて窪み４Ａに配置された状態で、ロータガイドリング２０の周縁部に複数箇所形成した切り欠き２０Ｃを各係止爪部２１に対応させるように、ロータガイドリング２０を段部４Ｂに載置し、この状態で図７及び図１１において、ロータガイドリング２０を時計方向へ回動させることによって、図７、図１１及び図１２に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００３７】
送出ロータ７は、図１３に示すように、同心円上に複数の分離孔１０（図示のものは６個の分離孔を有するが、これに限定されない）を略等間隔に配置した円盤状をなし、各分離孔１０は、メダル１００の直径よりも若干大きい直径でもって送出ロータ７を上下に円形状に貫通し、上側周縁部には回転方向Ｒの下流側に下向きの低く傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。
【００３８】
図１２に示すように、ベース部材４の上面の窪み４Ａには、送出ロータ７の周縁部に臨むようにメダル１００の送出通路１３が形成されている。この送出通路１３の入口側に対応して、分離孔１０の回転軌跡上に、円錐状の送出案内ピン４５が設けられ、送出ロータ７の下面には、この送出案内ピン４５が衝突しないように、たて形成した円形状の窪み４Ａに配置され、回転軸９を中心とした円形の溝４５Ａが形成されている。この送出案内ピン４５と固定側壁１５の最小間隔（図では案内面１５Ｂの上端部との間隔）は、図１１に示すように、メダル１００の直径と等しいか、若干大きい間隔である。
【００３９】
この構成によって、送出ロータ７の回転によって、貯蔵容器（ホッパ）５Ｐのメダル１００は、１枚ずつ分離して分離孔１０に順次入り込み、分離孔１０の底部に入り込んだメダル１００は、送出ロータ７の回転に伴ってベース部材４の上面を滑りつつ送出案内ピン４５に衝突し、押し出し壁１２によって、ベース部材４の上面に形成した送出通路１３へ向けて、開放出口１０Ａから送出ロータ７の外方へ押し出される仕組みである。このようにして、メダル１００は、送出ロータ７の回転に伴って各分離孔１０から１枚ずつ送出される。
【００４０】
このようにして送出ロータ７の外方へ押し出されたコイン状部材１００は、図１１に示すように、送出案内ピン４５と固定側壁１５の案内面１５Ｂとの対向部間を通り、通路規制部８１へ到達する。通路規制部８１は、対向壁を構成する固定側壁１５との間隔がメダル１００の直径より狭い通路幅を保つようにバネ１７で付勢された可動体１６を設けている。メダル１００がこのバネ付勢に抗して可動体１６を押して退避させつつ通過する際、可動体１６の復帰力によってメダル１００が送出通路１３へ弾き飛ばされる構成である。
【００４１】
通路規制部８１は送出通路１３の入口部に位置する。送出通路１３の通路幅Ｔ１は、案内面１５Ｂと交差する固定側壁１５の先端の直線部１５Ａと、その対面側に固定側壁１５と並行に配置した固定側壁２６との間隔で形成される。この通路幅Ｔ１は、メダル１００が円滑に移動できるように、メダル１００の直径よりも若干大きい寸法に定めている。このため、通路規制部８１は、固定側壁１５のコーナ部と可動体１６とで、メダル１００の半径より大きく直径よりも小さい間隔の狭い通路幅を保つ間隔で形成される。
【００４２】
送出ロータ７から外方へ押し出されたコイン状部材１００が、スムースに送出通路１３へ移動するようにするために、ベース部材４の上面４Ａと通路規制部８１と送出通路１３は、ベース部材４の上面４Ａと同一面になるように形成されている。なお、固定側壁１５は、耐磨耗性を考慮して金属製とし、実施例ではステンレススチールで構成している。ベース部材４の上面側には、送出ロータ７の分離孔１０に侵入したコイン状部材１００が接触する位置に静電気を逃がす導電部材３０を配置し取り付けている。導電部材３０は、送出ロータ７の回転によって分離孔１０内のコイン状部材１００と摩擦が生じるため、耐摩耗性に優れた材料で構成する必要があり、実施例ではステンレススチールで構成している。
【００４３】
可動体１６は、固定部１５に対して送出ロータ７の回転方向（Ｒ）前方側に位置し、通路規制部８１を通過するコイン状部材１００によって押し圧作動されるように、復帰作用バネ１７で付勢された状態に設けられている。可動体１６は、略Ｖ字状又は略Ｌ字状の可動アーム１９の中間部がベース部材４の上壁の下側に軸支持部１８で回転可能に支持され、図１１等に示すように、可動アーム１９の一方の腕辺に立設した軸１９Ａが、ベース部材４の上壁に形成したスリット４Ｓを貫通し、この貫通した軸１９Ａに回転可能に取り付けた円筒状のローラ１６Ａが通路規制部８１に突出状態で臨む。可動アーム１９の他方の腕辺は、一端がベース部材４に保持されたバネ１７の引っ張り力によって引っ張られており、それによって、可動体１６のローラ１６Ａは固定部１５との間にコイン状部材１００の半径より大きく直径よりも小さい間隔を有する通路規制部８１を形成している。可動アーム１９の他方の腕辺は、ベース部材４の下側に設けたメダル１００の枚数を検知するための検出部２３Ｗを作動する作動部１６Ｂとして作用する。
【００４４】
通路規制部８１を通過したメダル１００の枚数を検知するための検出部２３Ｗは、図８（イ）に示すように、合成樹脂製ホルダの上下辺に発光部２３Ｐと受光部２３Ｑが収納された構成の光スイッチであり、可動アーム１９がコイン状部材１００によって回動する前の状態（待機状態という）では、可動アーム１９の作動部１６Ｂが発光部２３Ｐから受光部２３Ｑへ到達する光通路から離れている。
【００４５】
このように、メダル１００が通路規制部８１を通過するとき、コイン状部材１００がローラ１６Ａに当接してバネ１７の引っ張り力に抗して可動アーム１９が回動することによって、前記待機状態にあった可動アーム１９の作動部１６Ｂが発光部２３Ｐから受光部２３Ｑへ到達する光通路を遮った状態となる。そして、メダル１００が通路規制部８１を通過したとき、可動アーム１９がバネ１７によって復帰するため、作動部１６Ｂが発光部２３Ｐから受光部２３Ｑへ到達する光通路を開放する。この受光部２３Ｑの動作によって、図１０に示すＰ２５の矩形状パルス（幅ＴＳ）が発生し、このパルスＰ２５の数を電装部６０に設けた制御部６１の計数部（図示せず）によって計数することによって、メダル１００の送出枚数がカウントされる仕組みである。この場合、メダル１００が検出部２３Ｗを通過する時間は、図１０に示す矩形状パルスＰ２５とクロックパルスのＡＮＤによるクロックパルス数を制御部６１のカウンタで計数することによって判別できる。
【００４６】
この弾き飛ばされたメダル１００は、送出出口１４から送出される。これによって、送出ロータ７は１秒間に２回転し、図示の分離孔１０が６個の送出ロータ７では、１秒間に１２枚のコイン状部材１００を連続して送出するような高速送出が行なえ、検出部２３Ｗでの安定した検出動作ができる。
【００４７】
このように、送出ロータ７の回転に伴ってメダル１００が１枚ずつ送出されるため、１回の貸し出しに必要な金額（実施例では１０００円）紙幣が遊技客によって紙幣挿入口１１１へ挿入されることに応じて送出されるメダル１００の所定枚数（実施例では５０枚）を予め設定しておけば、検出部２３Ｗでの検出に基づく計数値がこの所定枚数（実施例では５０枚）に達したとき、制御部６１によって電動機装置８の回転を停止するように構成すれば、安定した送出動作が得られる。
【００４８】
送出ロータ７の外方へ押し出されるメダル１００は、この固定側壁１５と可動体１６との対向部間の通路規制部８１に到達した際、図１１に一点鎖線で示すように可動体１６をバネ１７の引っ張り力に抗して１６Ａの状態に押し退けつつ進み、メダル１００の直径部が通過したとき、バネ１７の引っ張り力によって復帰する可動体１６によって、送出口１４方向へ弾き飛ばされる。メダル１００の送出枚数を正確に係数するためと、また、メダル詰まりの検出のために、送出通路１３にメダル通過の検出部２３を設けている。この弾き飛ばされたメダル１００は、固定側壁２６側から送出通路１３に臨むように配置した検出部２３をＹ１方向に通過して、送出口１４から送出される。
【００４９】
このようにして送出口１４から送出されるメダル１００は、ノズル２Ｎを通って遊技機１の前面に設けた受け皿１Ｄへ供給され、遊技客による次の遊技に使用可能となる。送出通路１３の通路幅Ｔ１は、固定側壁１５の先端の直線部１５Ａとその対面側に固定側壁１５と並行に配置した固定側壁２６との間隔で形成される。この通路幅Ｔ１は、メダル１００が円滑に移動できるように、メダル１００の直径よりも若干大きい寸法に定めている。
【００５０】
検出部２３は、図８（ロ）及び図９に示すように、検出センサとして発光部と受光部からなる光センサ構成である。実施例では、発光部２４Ａと受光部２５Ａ、及び発光部２４Ｂと受光部２５Ｂの二組の光センサで構成されており、メダル１００が検出部２３を通過するとき、発光部２４Ａから受光部２５Ａへ到達する光通路、又は発光部２４Ｂから受光部２５Ｂへ到達する光通路が、メダル１００によって遮られることによって、送出されるメダル１００を検出する。
【００５１】
検出部２３における検出位置は、メダル１００の直径を外れた部位での検出としている。即ち、送出ロータ７から送出されるメダル１００が連なって送出される場合にも、１枚ずつの検出ができるようにするために、発光部２４Ａ、２４Ｂから受光部２５Ａ、２５Ｂへ至るそれぞれの光通路は、送出されるメダル１００の直径部位ではなく、直径部位から外れた位置、即ち、メダル１００の直径よりも短い部位での検出としている。即ち、図９に示すように、円形状のメダル１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。
【００５２】
また、検出部２３は一つの発光部２４Ａと一つの受光部２５Ａのみでもよいが、発光部２４Ａと受光部２５Ａ、及び発光部２４Ｂと受光部２５Ｂの二組で構成されるのは、上記のように検出精度を上げると共に、悪戯対策である。即ち、メダル１００がＹ１方向に通った場合の検出パルスを計数信号として制御部６１で採用し、悪戯によってＹ１方向と反対方向にメダル１００が押し込まれて通過した場合の検出パルスを不採用とすることによって、悪戯によって誤った計数がされないようにしている。検出部２３をこのような受光量の変化によって検知する方式に替えて、メダル１００が通過することによって生じる電気量（静電容量、誘起起電力、周波数など）の変化や又は磁気量の変化などを計測するものでもよい。
【００５３】
検出部２３は、発光部２４Ａと受光部２５Ａの組み合わせ位置、及び発光部２４Ｂと受光部２５Ｂの組み合わせ位置を正確にするために、図８（ロ）に示すように、発光部２４Ａ、２４Ｂと受光部２５Ａ、２５Ｂとを合成樹脂製ホルダ２３Ａ内に収めた構成である。合成樹脂製ホルダ２３Ａは略コ字形をなし、その一方の辺である上辺２３Ａ１に発光部２４Ａ、２４Ｂが送出通路１３に上方から臨むように、上手側（上流側）と下手側（下流側）の配置で内蔵され、上辺２３Ａ１に対抗する合成樹脂製ホルダ２３Ａの他方の辺である下辺２３Ａ２には、受光部２５Ａ、２５Ｂが送出通路１３に下方から臨むように、上手側（上流側）と下手側（下流側）の配置で内蔵されている。そして、合成樹脂製ホルダ２３Ａの発光部２４Ａ、２４Ｂから受光部２５Ａ、２５Ｂに至るそれぞれの光通路部分は、透明資材で構成された透明部２３Ｂを形成している。
【００５４】
合成樹脂製ホルダ２３Ａは、発光部２４Ａ、２４Ｂと受光部２５Ａ、２５Ｂを合成樹脂成形によって埋設する構成の場合と、合成樹脂製ホルダ２３Ａがケースで構成され、このケースの中に発光部２４Ａ、２４Ｂと受光部２５Ａ、２５Ｂを収納して密閉する構成の場合とがある。本発明では、合成樹脂成形によって埋設する構成の場合、及びこのケース構成の場合の両方を含めて、合成樹脂製ホルダ２３Ａと称している。
【００５５】
送出通路１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出通路１３の上面１３Ａとの間隔Ｔ２が、メダル１００の厚さＴ０よりも若干大きい寸法になっている。これによって、固定側壁１５と固定側壁２６の間隔Ｔ１（メダル１００の直径方向の間隔）と、このカバー３２の下面３２Ａと送出通路１３の上面１３Ａとの間隔Ｔ２（メダル１００の厚さ方向の間隔）との間が、送出通路１３のコイン状部材通路の大きさである。そして、この送出通路１３のコイン状部材通路の出口が、メダル１００の送出口１４となる。
【００５６】
上記のメダル１００の通過枚数の計数方式は、メダル通過検出部２３Ｗをメダルが通過するごとに計数しているが、これに替わる方式として、メダル１００の送出枚数を正確に係数するために、上記したメダル通過の検出部２３Ｗで１枚のメダル１００が送出されたことを検出した後、続いて通過する検出部２３（一方の発光部と受光部の組でよい）でそのメダル１００が送出されたことを検出したとき、電装部６０に設けた制御部６１の計数部（図示せず）に１枚のメダル１００が計数される関係とし、この関係によって、順次送出されるメダル１００の枚数を計数とするようにすることができる。
【００５７】
上記のように、コイン状部材送出装置２は、コイン状部材１００の送出出口１４が前面に向くようにメダル貸機ＭＫ内に設置されるため、メダル貸機ＭＫの前面側から差し込まれた板状部材や金属棒状部材等によって、送出出口１４を通して可動体１６が押されて回動した状態のままに保持される虞がある。紙幣挿入口１１１へ真正の１０００円紙幣を挿入して、所定枚数である５０枚のメダル貸し出しを受ける場合、送出ロータ７の回転によって、１回のメダル貸し出しで送出される所定枚数（５０枚）が、送出ロータ７の回転によって送出される。このコイン状部材１００の送出動作中、またはこの送出動作前であるメダル貸し出し待機状態において、可動体１６が押されて回動した状態のままに保持される（可動体１６の往復作動の停止状態となる）と、検出スイッチ部２３では、送出されるコイン状部材１００の枚数の検出ができない。そのため、前記制御部の計数部による計数値が所定枚数に達せず、いつまでも電動機装置８が送出ロータ７を回転し、コイン状部材１００の送出がいつまでも続くこととなり、所謂、不正にコイン状部材１００が取り出されることとなる。
【００５８】
本発明は、このような不正操作によって、コイン状部材１００が取り出される状態になったか否かを検出する不正検出装置を提供する。不正検出装置２５０は、制御部６１の一部または別個に設けられており、図１５に示すように、ＣＰＵ（中央演算装置）２５１、データの書き込みと読み出し用のメモリであるＲＡＭ２５２、不正検出装置２５０が所定のプログラムに従って動作するためのプログラムを記憶した読み出し専用メモリであるＲＯＭ２５３、インターフェース２５４、警報制御部２５５、スピーカ２５６、警報灯（ＬＥＤ等）２５７で構成し、メダル収容部（ホッパ）５のメダル切れ検出部であるメダル切れセンサ（またはメダル切れ電極ともいう）２６０Ａ、下限値検出部である下限センサ（または下限電極ともいう）２６０Ｂ、上限値検出部である上限センサ（または上限電極ともいう）２６０Ｃ、薄片識別装置１１０が、それぞれインターフェース２５４に接続され、インターフェース２５４からＣＰＵ（中央演算装置）２５１に接続されている。メダル切れセンサ（またはメダル切れ電極ともいう）２６０Ａ、下限センサ（または下限電極ともいう）２６０Ｂ、及び上限センサ（または上限電極ともいう）２６０Ｃは、メダル収容部（ホッパ）５内のメダルの収納状態を検出するように配置されている。
【００５９】
紙幣挿入口１１１へ１０００円紙幣が挿入されて薄片識別装置１１０の識別部によって真偽識別され、真正紙幣である場合に、その信号が薄片識別装置１１０から制御部６１へ入力されて、それに基づき１回のメダル貸し出しで送出す（払い出す）べき所定枚数（５０枚）のメダルを送出ロータ７の回転によって送出する（払い出す）ように制御する。これと共に、薄片識別装置１１０からインターフェース２５４を介してＣＰＵ（中央演算装置）２５１に１回のメダル貸し出し回数信号が入力される。
【００６０】
貯蔵容器（第１貯蔵部）５Ｐの前壁５Ｆのコーナ部には、先端４６Ｐが回転する送出ロータ７の分離孔１０に上方から近接するように延びたコイルバネで構成したメダル残留防止部材４６が設けられている。このメダル残留防止部材４６は、送出ロータ７の回転に伴って、メダル１００が抵抗を受け、横に倒れた水平状態のメダル１００が１枚ずつメダル分離孔１０に入るように作用するものである。このメダル残留防止部材４６は、電気的に通電されたメダル切れセンサ（またはメダル切れ電極ともいう）２６０Ａを構成している。
【００６１】
下限センサ２６０Ｂは、補給センサとも称し、減圧板３７の上面に広く露出するように、合成樹脂でこの減圧板３７の上面部に一体に埋め込まれた状態であり、複数枚のメダル１００が接触できる広い面積（メダル１００の直径よりも大きい面積）に形成されている。また、上限センサ２６０Ｃは、メダル収容部（ホッパ）５の満杯の上限値を検出するように、複数枚のメダル１００が接触できる広い面積（メダル１００の直径よりも大きい面積）でもって、メダル収容部（ホッパ）５の上部で左右側面部または後側面部に配置されている。図示のものは、左右両側の一方側（図では左側）に、上部よりも下部が内側に向くように斜め配置している。
【００６２】
メダル収容部（ホッパ）５内にメダル１００が収容されているときは、メダル切れセンサ（またはメダル切れ電極ともいう）２６０Ａにメダル１００が接触している（メダル切れセンサ２６０ＡがＯＮ状態）。そしてメダル収容部（ホッパ）５内にメダル１００が満杯状態の収容状態では、上限センサ２６０Ｃにメダル１００が接触している（上限センサ２６０ＣがＯＮ状態）。この状態で、メダル切れセンサ２６０Ａと上限センサ２６０Ｃ、及びメダル切れセンサ２６０Ａと下限センサ２６０Ｂが、それぞれメダル収容部（ホッパ）５内に収容されているメダル１００を通して電気的に連通し、その状態がインターフェース２５を通してＣＰＵ（中央演算装置）２５１で検出される。この状態で、紙幣挿入口１１１への真正の１０００円紙幣の挿入に基づき、コイン状部材送出装置２の送出ロータ７が回転して、所定枚数（５０枚）のメダル１００を送出することができる。実施例では、１回のメダル貸し出しのための所定の単位金額が１０００円であり、１０００円紙幣の挿入によって送出されるメダル１００の所定枚数は５０枚に設定されている。この５０枚の数字はメダル貸機ＭＫの前面の数字表示部２１４に「５０」の表示として表れる。
【００６３】
このメダル１００の満杯状態において、通常の動作状態では、紙幣挿入口１１１への真正の１０００円紙幣を挿入して、所定枚数である５０枚のメダル貸し出しを受ける場合、このメダル貸し出し回数ごとに、コイン状部材送出装置２の送出ロータ７が回転して、所定枚数である５０枚のメダル１００が送出される。このようにしてメダル１００のメダル貸し出し動作が行なわれるごとに、メダル収容部（ホッパ）５内のメダル１００が減少し、上限センサ２６０Ｃからメダル１００が離れ（上限センサ２６０ＣがＯＦＦ）、更に、所定メダル貸し出し回数（実施例では１０回に設定）以上のメダル送出（メダル払い出し）が行なわれて収容メダル１００が減少し、下限センサ２６０Ｂからメダル１００が離れる状態（下限センサ２６０ＢがＯＦＦ）となる。
【００６４】
具体的には、実施例では、１回のメダル貸し出し動作で５０枚のメダル１００が送出されるように設定されているため、上限センサ２６０Ｃからメダル１００が離れた状態（上限センサ２６０ＣがＯＦＦ）から、１０回のメダル貸し出し回数によって合計５００枚のメダル１００が送出されたとき、下限センサ２６０Ｂからメダル１００が離れる状態（下限センサ２６０ＢがＯＦＦ）となる。
【００６５】
ＣＰＵ（中央演算装置）２５１は、薄片識別装置１１０で１０００円紙幣が受領されるごとに薄片識別装置１１０から出力されるメダル貸し出し回数信号に基づきメダル貸し出し動作回数をカウントする。このため、上限センサ２６０Ｃからメダル１００が離れて（上限センサ２６０ＣがＯＦＦ）から下限センサ２６０Ｂからメダル１００が離れる（下限センサ２６０ＢがＯＦＦ）までのメダル貸し出し回数が、所定回数（実施例では１０回に設定）と同等または以上であることがＣＰＵ（中央演算装置）２５１で判定されたときは、正常状態の判定信号が出力部２７０から出力され、この出力が制御部６１の所要部へ入力される。
【００６６】
もし上記のように、不正操作によって、可動体１６が押されて回動した状態のままに保持されると、検出スイッチ部２３Ｗでは、送出されるコイン状部材１００の枚数の検出ができない。そのため、前記制御部６１の計数部による計数値が所定枚数に達せず、いつまでも電動機装置８が送出ロータ７を回転し続けて、コイン状部材１００の送出がいつまでも続くこととなり、所謂、不正にコイン状部材１００が取り出されることとなる。
【００６７】
この不正操作が行なわれると、上限センサ２６０Ｃからメダル１００が離れて（上限センサ２６０ＣがＯＦＦ）から、下限センサ２６０Ｂからメダル１００が離れる（下限センサ２６０ＢがＯＦＦ）までのメダル貸し出し動作回数が、所定回数（実施例では１０回に設定）よりも少ない回数となる。これがＣＰＵ（中央演算装置）２５１で不正動作と判定され、不正動作信号が出力部２７０から出力され、この出力に基づき制御部６１は、コイン状部材送出装置２の送出ロータ７の駆動用電動機装置８を停止させて、メダル１００の送出動作を停止させる。これと共に警報制御部２５５が動作して、メダル貸機ＭＫ内等に配置したスピーカ２５６を発音させ、及びまたはメダル貸機ＭＫの前面の警報灯（ＬＥＤ等）２５７を点滅、消灯から赤色発光へ切り替え、または強い赤色発光させる等の警報モードにして警報を発する。また、出力部２７０の動作に基づき、予め定めたエラーコードが数字表示部２１４に表示され、且つ外部出力を制御部６１へ発する。表示部２１４と警報灯２５７は、第２扉（またはカバー）２０６の透孔部を通してメダル貸機ＭＫの前面から視認できる構成である。
【００６８】
この外部出力に基づき、挿入口１１１へ挿入された紙幣を受け付けないように薄片識別装置１１０を制御し、また、メダル貸機ＭＫのメダル収容部（ホッパ）５へメダル自動補給装置が接続されている構成においては、このような不正動作信号の出力によって、メダル自動補給装置によるメダル１００の補給が行なわれないように、メダル自動補給装置へ停止信号を出力する。
【００６９】
このように、上限センサ２６０Ｃからメダル１００が離れた（上限センサ２６０ＣがＯＦＦ）状態で、最初に行なわれるメダル貸し出し動作からＣＰＵ（中央演算装置）２５１に含まれるメダル監視カウンタが、メダル貸し出し回数のカウントを開始する。メダルの送出によって下限センサ２６０ＢがＯＦＦするときまでのメダル貸し出し回数が、所定メダル貸し出し回数（実施例では１０回に設定）以上の場合は正常と判定し、この所定メダル貸し出し回数（実施例では１０回に設定）未満（９回以下）の場合は、不正と判定し、上記の所要の動作を行なう。この具体的な動作は、図１６のフローチャートに示している。
【００７０】
上記のような不正操作が行なわれずに、正規のメダル貸し出し回数が重ねられて、メダル収容部（ホッパ）５内のメダル１００が減少し、下限センサ２６０Ｂからメダル１００が離れる状態（下限センサ２６０ＢがＯＦＦ）に達した状態で、メダル貸機ＭＫの前面の警報灯（ＬＥＤ等）２５７を点灯させると共に、出力部２７０の動作に基づき、予め定めたエラーコードが数字表示部２１４に表示される。この場合、何回目かのメダル貸し出し動作において５０枚のメダル１００が送出されている途中に、下限センサ２６０Ｂからメダル１００が離れた（下限センサ２６０ＢがＯＦＦした）場合には、その時点でメダル送出を停止するのではなく、所定の貸し出し動作を完了（５０枚のメダルを送出）するまで動作するようにしている。この下限センサ２６０ＢがＯＦＦ状態で、手動補給しない場合、または自動補給されずに、更にメダルの送出（払い出し）が行われても、所定回数（実施例では３回に設定）のメダル貸し出し動作が可能であるように設定されている。これはメダル送出途中にメダル切れとなって顧客に貸し出すメダル数に不足を生じさせないためである。この所定回数（実施例では３回に設定）のメダル貸し出し動作の後、ＣＰＵ（中央演算装置）２５１はメダル切れと判定し、メダル切れ信号が出力部２７０から出力され、この出力に基づき制御部６１は、挿入口１１１へ挿入された紙幣を受け付けないように薄片識別装置１１０を制御すると共に、メダル貸機ＭＫの前面の警報灯（ＬＥＤ等）２５７を発光させて、メダル切れを表示すると共に、予め定めたエラーコードが数字表示部２１４に表示される。
【００７１】
このようなメダル切れの表示によって、施設の管理者は補給用前面扉２０６を開いて前面から、メダル１００をメダル収容部（ホッパ）５内に補給する。この補給は、目視で行なうが、メダル１００の収納状態が上限センサ２６０Ｃによって検出されたとき、警報灯（ＬＥＤ等）２５７の発光が消灯することにより、満杯状態となったことが視認できる。なお、メダル貸機ＭＫのメダル収容部（ホッパ）５へメダル自動補給装置が接続されている構成においては、このメダル切れ信号の出力によって、メダル自動補給装置が作動してメダル１００がメダル収容部（ホッパ）５内に補給され、メダル１００の収納状態が上限センサ２６０Ｃによって検出されたとき、メダル自動補給装置による補給を停止する。
【００７２】
上記において、下限センサ２６０Ｂからメダル１００が離れた（下限センサ２６０ＢがＯＦＦした）場合、所定回数（実施例では３回に設定）のメダル貸し出し動作の後、ＣＰＵ（中央演算装置）２５１はメダル切れとするが、この場合のメダル貸し出し動作回数も含めて、不正動作があったか否かの判定を行なう。即ち、上限センサ２６０Ｃからメダル１００が離れた（上限センサ２６０ＣがＯＦＦ）状態からメダルが減少して、下限センサ２６０Ｂからメダル１００が離れる（下限センサ２６０ＢがＯＦＦする）下限状態を過ぎて、設定された所定回数（実施例では３回に設定）のメダル貸し出し動作を行なってメダル貸し出し動作を停止するまでの正規の所定回数よりも少ない回数であれば、不正検出装置が不正動作と判定するようにすることもできる。このようにすれば、メダル貸し出し動作を停止するまでの広い範囲に亘って不正チェックができることとなる。
【００７３】
なお、上記のように、メダルの送出（払い出し）によってメダル収容部（ホッパ）５内のメダルが減少し、下限センサ（または下限電極ともいう）２６０Ｂよりも少なくなった状態で、所定回数（実施例では３回に設定）のメダル貸し出し動作後にメダル切れとする制御に替わる方式がある。その方式は、メダルの送出（払い出し）によってメダル収容部（ホッパ）５内のメダルが減少し、下限センサ（または下限電極ともいう）２６０Ｂからメダル１００が離れた（下限センサ２６０ＢがＯＦＦした）状態で、メダル貸機ＭＫの前面の警報灯（ＬＥＤ等）２５７を点灯させると共に、出力部２７０の動作に基づき、予め定めたエラーコードが数字表示部２１４に表示される。この状態で、手動補給しない場合、または自動補給されずに、更にメダルの送出（払い出し）が行われて、メダル切れセンサ（またはメダル切れ電極ともいう）２６０Ａからメダルが離れたとき（メダル切れセンサ２６０ＡがＯＦＦしたとき）、ＣＰＵ（中央演算装置）２５１はメダル切れと判定し、メダル切れ信号が出力部２７０から出力され、この出力に基づき制御部６１は、挿入口１１１へ挿入された紙幣を受け付けないように薄片識別装置１１０を制御する。なお、メダル貸機ＭＫの前面の警報灯（ＬＥＤ等）２５７を点滅させて、メダル切れを表示すると共に、予め定めたエラーコードが数字表示部２１４に表示されるように構成してもよい。なお、メダル切れセンサ２６０ＡがＯＦＦしたとき、そのメダル貸し出し動作途中のメダル送出（払い出し）は中断せずに完了するようにし、且つこのメダル送出（払い出し）終了後も若干のメダル数が残る状態としてある。
【００７４】
上記において、メダル切れセンサ（またはメダル切れ電極ともいう）２６０Ａ、下限センサ（または下限電極ともいう）２６０Ｂ、上限センサ（または上限電極ともいう）２６０Ｃは、いずれもメダル１００に接触する電極式で説明したが、電極式の場合は、メダル切れセンサ（またはメダル切れ電極ともいう）２６０Ａは共通電極であり、メダル切れセンサ（またはメダル切れ電極ともいう）２６０Ａと上限センサ（または上限電極ともいう）２６０Ｃによって満杯を検出する満杯状態検出部（上限値検出部）を構成し、メダル切れセンサ（またはメダル切れ電極ともいう）２６０Ａと下限センサ（または下限電極ともいう）２６０Ｂによって、減少した下限値を検出する下限状態検出部（下限値検出部）を構成している。
【００７５】
しかし、メダル収容部（ホッパ）５内のメダルの満杯状態と、減少した下限状態を検出するものであれば、センサ２６０Ａ、２６０Ｂ、２６０Ｃは、これに限定されるものではなく、例えば、発光素子と受光素子の間の光路をメダルが遮るか否かでメダル１００が存在するか否かの検出を行なう光学式センサであってもよい。このため、光学式センサの場合は、下限値を検出する下限状態検出センサ（下限値検出部）として下限センサ２６０Ｂと、満杯状態を検出する満杯状態検出センサ（上限値検出部）として上限センサ２６０Ｃがあれば、上記不正操作を検出できるものとなる。
【００７６】
上記において、メダル貸し出し回数（上記では１０回）、１回のメダル貸し出し動作で払い出すメダル１００の所定枚数（上記では５０枚）、満杯状態検出から下限状態検出までの正規のメダル貸し出し回数等は、外部から管理者が変更可能とする場合はＲＡＭ２５２、または他のメモリに記憶させればよく、また、これ他の値が外部から変更不可能とする場合はＲＯＭ２５３に記憶させてもよい。
【００７７】
上記では、メダル通過の検出部２３Ｗが不正操作された状態になった場合を説明したが、上記のようにメダル通過の検出部２３、２３Ｗの両方によってメダルの送出枚数を検出して計数する場合には、メダル通過の検出部２３が不正操作されて計数不能状態になった場合でも同様に、不正検出装置２５０が不正と判定する制御を行うようにしてもよい。また、可動体１６によるメダルの弾き飛ばし機構は保留しつつメダル通過の検出部２３Ｗを設けず、メダル通過の検出部２３のみでメダルの送出枚数を検出して計数する場合にも、上記同様に不正検出装置２５０が不正と判定する制御を行うようにしてもよい。
【００７８】
上記のように、メダル通過の検出部２３Ｗで１枚のメダル１００が送出されたことを検出した後、続いて通過する検出部２３（一方の発光部と受光部の組でよい）でそのメダル１００が送出されたことを検出したとき、電装部６０に設けた制御部６１の計数部（図示せず）に１枚のメダル１００が計数される関係とし、この関係によって、順次送出されるメダル１００の枚数を計数とする方式では、検出部２３Ｗで１枚のメダル１００が送出されたことを検出したが、正常ならば、所定の短時間（５秒）内に続いて検出部２３Ｗで次のメダル１００が検出される筈であるが、その所定の短時間（５秒）経ったとき検出部２３Ｗで次のメダル１００が検出されなければ、制御部６１に設けた判定部によってメダル詰まりと判定して、制御部６１によって、電動機装置８を停止し送出ロータ７の回転を停止させるようにすることができる。
【００７９】
また、メダル詰まり検出方式として、検出部２３または２３Ｗにおいてメダル詰まり状態となったとき、制御部６１によって、電動機装置８を停止し送出ロータ７の回転を停止させることができる。この場合、検出部２３Ｗをメダル１００が通過する時間と、検出部２３をメダル１００が通過する時間は、それぞれ所定時間であり、実施例では略同じ１５ミリ秒であるが、もし、この時間を超えた所定時間（例えば１００ミリ秒）ＯＮ状態（検出部２３Ｗでは可動アーム１９の作動部１６Ｂが発光部２３Ｐから受光部２３Ｑへ到達する光通路を遮断したままの状態、また検出部２３では発光部２４Ａ、２４Ｂから受光部２５Ａ、２５Ｂへ至るそれぞれの光通路がメダル１００で遮断したままの状態）が継続したときは、制御部６１に設けた判定部によってメダル詰まりと判定して、制御部６１によって、電動機装置８を停止し送出ロータ７の回転を停止させる。
【産業上の利用可能性】
【００８０】
本発明は、上記実施形態に限定されず、本発明の技術的範囲を逸脱しない限り種々の変更が考えられ、それに係る種種の実施形態を包含するものである。
【図面の簡単な説明】
【００８１】
【図１】本発明に係るコイン状部材（メダル）貸機の正面図である。（実施例１）
【図２】本発明に係るメダル貸機の前面扉を外した状態の正面図である。（実施例１）
【図３】本発明に係るメダル貸機の内部構成を説明する縦断側面図である。（実施例１）
【図４】本発明に係るコイン状部材送出装置の送出ロータ部とその上方のコイン状部材の収容部（またはホッパと称する）の構成を示す縦断側面図である。（実施例１）
【図５】本発明に係るコイン状部材送出装置の上面斜視図である。（実施例１）
【図６】本発明に係るコイン状部材送出装置のコイン状部材の収容部（またはホッパと称する）から見た平面図である。（実施例１）
【図７】本発明に係るコイン状部材送出装置の送出部のカバーを外した斜視図である。（実施例１）
【図８】本発明に係るコイン状部材通過検出部を示し（イ）はその２３Ｗ部分の断面図であり（ロ）はその２３部分の側面図である。（実施例１）
【図９】本発明に係るコイン状部材の検出部２３の構成を断面で示す側面図である。（実施例１）
【図１０】本発明に係る検出部をメダルが通過する通過時間とクロックパルスの関係を示す説明図である。（実施例１）
【図１１】本発明に係るコイン状部材送出装置の送出部のカバーを外した上面図である。（実施例１）
【図１２】本発明に係るコイン状部材送出装置の送出ロータとロータガイドリングの関係を示す断面図である。（実施例１）
【図１３】本発明に係る送出ロータの分離孔部分の裏側斜視図である。（実施例１）
【図１４】本発明に係るコイン状部材送出装置を備えたメダル貸機と遊技機の併設状態を示す正面図である。（実施例１）
【図１５】本発明に係る不正検出装置の構成図である。（実施例１）
【図１６】本発明に係る不正検出装置の動作状態を説明するフローチャートである。（実施例１）
【図１７】本発明に係るメダル貸機の前面扉を開いた状態の内部構成の説明斜視図である。（実施例１）
【符号の説明】
【００８２】
１・・・・遊技機
２・・・・コイン状部材送出装置
４・・・・ベース部材
５・・・・コイン状部材の収容部（ホッパ）
５Ａ・・・上側開口
５Ｂ・・・下側開口
５Ｆ・・・貯蔵容器（ホッパ）の前壁
５Ｇ・・・貯蔵容器（ホッパ）の後壁
５Ｈ・・・貯蔵容器（ホッパ）の左壁
５Ｍ・・・貯蔵容器（ホッパ）の右壁
５Ｐ・・・貯蔵容器（第１貯蔵部）
５Ｐ２・・第２貯蔵部
７・・・・送出ロータ
８・・・・電動機装置
９・・・・回転軸
１０・・・分離孔
１３・・・送出通路（送出部）
１５・・・固定側壁
１６・・・可動体
１７・・・バネ
２０・・・ロータガイドリング
２０Ｃ・・切り欠き
２１・・・係止爪部
２３・・・コイン状部材の通過検出部
２３Ｗ・・コイン状部材の通過検出部
２３Ｐ・・発光部
２３Ｑ・・受光部
２４Ａ、２４Ｂ・・・発光部
２５Ａ、２５Ｂ・・・受光部
２６・・・固定側壁
３７・・・コイン状部材用減圧板
３７Ｐ・・減圧板の弧状先端部
４０・・・コイン状部材用制限部材
４１・・・基部部材
４２・・・先端部材
４３・・・コイルバネ
６０・・・電装部
６１・・・制御部
８１・・・通路規制部
１００・・コイン状部材
１１１・・挿入口
２００・・メダル貸機ＭＫの本体
２０１・・本体２００の左側壁
２０２・・本体２００の右側壁
２０３・・本体２００の後壁
２０４・・
２０５・・第１扉
２０６・・第２扉（補給用前面扉）
２０７・・第３扉
２０９・・補給案内底板
２１０・・補給案内左板
２１１・・補給案内右板
２１２・・施錠装置
２１３・・施錠装置
２１４・・数字表示部
２５０・・不正検出装置
２５１・・ＣＰＵ（中央演算装置）
２５２・・ＲＡＭ
２５３・・ＲＯＭ
２５４・・インターフェース
２５５・・警報制御部
２５６・・スピーカ
２５７・・警報灯（ＬＥＤ等）
２６０Ａ・・下限値検出部
２６０Ｂ・・中間値検出部
２６０Ｃ・・上限値検出部
２７０・・・出力部
ＭＫ・・・メダル貸機
【図１】
2009082208.tif 000003
【図２】
2009082208.tif 000004
【図３】
2009082208.tif 000005
【図４】
2009082208.tif 000006
【図５】
2009082208.tif 000007
【図６】
2009082208.tif 000008
【図７】
2009082208.tif 000009
【図８】
2009082208.tif 000010
【図９】
2009082208.tif 000011
【図１０】
2009082208.tif 000012
【図１１】
2009082208.tif 000013
【図１２】
2009082208.tif 000014
【図１３】
2009082208.tif 000015
【図１４】
2009082208.tif 000016
【図１５】
2009082208.tif 000017
【図１６】
2009082208.tif 000018
【図１７】
2009082208.tif 000019